(57)【要約】      （修正有）【課題】趣向性に優れ、かつ、腱鞘炎の発症を有効に予防することができる手袋及びその使用方法を提供する。【解決手段】この腱鞘炎発症防止手袋１は、指を酷使するピアニストやタイピストなどに発症しやすい腱鞘炎を予防するための手袋であって、手袋本体２に、人の指節骨から中手骨までを模した線３，３，・・・を表示可能とし、これらの線３，３，・・・の周りに存在するツボを模した点４を表示可能とし、人の手首にあたる部位５と手根骨にあたる部位６とを表示可能としたので、その使用により腱鞘炎の発症を有効に予防することができる。また、骨をそのまま表示するのではなく、線で模しているので、手袋としてのデザインを配慮して、思わず着用したくなるような趣向性を持たせることもできる。【選択図】図１
2018109250.tif 000002
【特許請求の範囲】
【請求項１】
腱鞘炎の発症を予防するための手袋であって、
手袋本体に、人の指節骨から中手骨までを模した線を表示可能としたことを特徴とする腱鞘炎発症予防手袋。
【請求項２】
手袋本体に、前記線の周りに存在するツボを模した点を表示可能としたことを特徴とする請求項１記載の腱鞘炎発症予防手袋。
【請求項３】
手袋本体に、人の手首にあたる部位と手根骨にあたる部位とを表示可能としたことを特徴とする請求項１又は２記載の腱鞘炎発症予防手袋。
【請求項４】
請求項１〜３のいずれか１項に記載の腱鞘炎発症予防手袋を用いて手のストレッチを行うことを特徴とする腱鞘炎発症予防手袋の使用方法。
【請求項５】
さらにツボ刺激を行うことを特徴とする請求項４記載の腱鞘炎発症予防手袋の使用方法。
【発明の詳細な説明】
【技術分野】
【０００１】
本発明は、腱鞘炎の発症を予防するための手袋及びその使用方法に関する。
【背景技術】
【０００２】
腱鞘炎はピアニストやタイピストなど指や手首を酷使（腱及び腱鞘の酷使）する人の職業病のように考えられているが家庭の主婦にもしばしば見られる。この腱鞘炎とは腱を包んでいるトンネルのような部分（腱鞘）が炎症を起こす病気である。腱鞘は、腱を保護しすべりやすくする役目を果たしているので、この病気になると筋肉の動きが妨げられる。指の屈筋腱（指を曲げるときに使う腱）に起こることが多い。
【０００３】
腱鞘炎に対する特別な予防策はなく、発症後、副腎皮質ステロイドホルモンを腱鞘の中に注射し、痛みを止めてしばらく指の運動を避ける方法をとるが、薬害が激しい上に、指を動かさないでいると自然治癒力が弱まってしまう。又温熱療法や消炎鎮痛剤の内服や塗布の治療方法も採用されるが、症状が進むと整形外科で手術を受けねばならないというのが現状である。
【０００４】
かかる技術は腱鞘炎発症後の対症療法であって、腱鞘炎の発症を事前に予防するものではなかった。そこで、最も炎症の発生しやすい拇指と小指のつけ根に注目し、拇指の長拇指伸筋及び小指の小指伸筋の働きを助け、筋肉の伸び縮みを適度にコントロールし、且つトレーニングすることによって腱鞘炎の発症予防と、発症の場合でも軽症なるごとく、更にその早期の炎症消失を目的とする技術が開発されている（例えば特許文献１参照）。また、手のストレッチやツボを刺激することについても、それぞれ腱鞘炎の予防に有効であることが周知である。
【発明の概要】
【発明が解決しようとする課題】
【０００５】
しかし、特許文献１の技術では、５本の指のすべてに対しては有効とはいえない。また、手のストレッチやツボを刺激するにしても、手の構造がよくわかっていないために、指先だけを広げたり、刺激する位置が不正確になっていたりするので、有意の効果が得られにくいものであった。さらに、手袋としてのデザインをも配慮して、思わず着用したくなるような趣向性を持たせる必要もあった。
【０００６】
本発明は、このような事情に鑑みてなされたもので、趣向性に優れ、かつ、腱鞘炎の発症を有効に予防することのできる手袋及びその使用方法を提供することを目的とする。
【課題を解決するための手段】
【０００７】
本発明は、腱鞘炎の発症を予防するための手袋であって、手袋本体に、人の指節骨から中手骨までを模した線を表示可能としたことを特徴とするものである。
【０００８】
本発明によれば、手袋本体に、人の指節骨から中手骨までを模した線を表示可能としたので、手の構造を正確に理解して、手のストレッチを正確に行うことができる。その結果、腱鞘炎の発症を有効に予防することができる。また、骨をそのまま表示するのではなく、線で模しているので、手袋としてのデザインを配慮して、思わず着用したくなるような趣向性を持たせることもできる。
【０００９】
請求項２記載の発明のように、手袋本体に、前記線の周りに存在するツボを模した点を表示可能とすることが好ましい。
【００１０】
請求項２記載の発明によれば、手袋本体に、前記線の周りに存在するツボを模した点を表示可能としたので、手のツボ刺激を正確に行うことができる。その結果、腱鞘炎の発症を有効に予防することができる。また、ツボをそのまま表示するのではなく、点で模しているので、手袋としてのデザインを配慮して、思わず着用したくなるような趣向性を持たせることもできる。
【００１１】
請求項３記載の発明のように、手袋本体に、人の手首にあたる部位と手根骨にあたる部位とを表示可能とすることが好ましい。
【００１２】
請求項３記載の発明によれば、手袋本体に、人の手首にあたる部位と手根骨にあたる部位とを表示可能としたので、手の構造をさらに正確に理解して、手のストレッチをより正確にすることができる。その結果、腱鞘炎の発症を有効に予防することができる。また、骨をそのまま表示するのではなく、部位で模しているので、手袋としてのデザインを配慮して、思わず着用したくなるような趣向性を持たせることもできる。
【００１３】
請求項４記載の発明は、請求項１〜３のいずれか１項に記載の腱鞘炎発症予防手袋を用いて手のストレッチを行うことを特徴とするものである。
【００１４】
請求項４記載の発明によれば、請求項１〜３のいずれか１項に記載の腱鞘炎発症予防手袋を用いて手のストレッチを行うので、手の構造を正確に理解して、手のストレッチを正確に行うことができる。その結果、腱鞘炎の発症を有効に予防することができる。
【００１５】
請求項５記載の発明のように、さらにツボ刺激を行うことが好ましい。
【００１６】
請求項５記載の発明によれば、さらにツボ刺激を行うので、手のツボ刺激を正確に行うことができる。その結果、腱鞘炎の発症を有効に予防することができる。
【発明の効果】
【００１７】
本発明によれば、手袋本体に、人の指節骨から中手骨までを模した線を表示可能としたので、手の構造をさらに正確に理解して、手のストレッチを正確に行うことができる。その結果、腱鞘炎の発症を有効に予防することができる。また、骨をそのまま表示するのではなく、線で模しているので、手袋としてのデザインを配慮して、思わず着用したくなるような趣向性を持たせることもできる。
【図面の簡単な説明】
【００１８】
【図１】本発明の実施形態に係る腱鞘炎発症予防手袋の正面図である。
【図２】本実施形態に係る腱鞘炎発症予防手袋の背面図である。
【図３】本実施形態に係る腱鞘炎発症予防手袋の右側面図である。
【図４】本実施形態に係る腱鞘炎発症予防手袋の左側面図である。
【図５】本実施形態に係る腱鞘炎発症予防手袋の平面図である。
【図６】本実施形態に係る腱鞘炎発症予防手袋の底面図である。
【図７】本実施形態に係る腱鞘炎発症予防手袋の使用状態を示す説明図である。
【発明を実施するための形態】
【００１９】
図１は本発明の実施形態に係る腱鞘炎発症予防手袋１の正面図、図２はその背面図、図３はその右側面図、図４はその左側面図、図５はその平面図、図６はその底面図である。なお、手袋は左右対称のものが１対となっているが、ここでは左側で代表させている。図１〜図６に示すように、本実施形態に係る腱鞘炎発症予防手袋１は、手袋本体２に、人の指節骨から中手骨までを模した線３，３，・・・を表示可能とし、これらの線３，３，・・・の周りに存在するツボを模した星形の点４を表示可能とし、人の手首にあたる部位５と手根骨にあたる部位６とを表示可能としたものである。
【００２０】
手の骨構造は、指節骨、中手骨、手根骨からなっている。指節骨とは、指先から根本にある骨であって、末節骨、中節骨、基節骨からなっている。末節骨とは、指の先の爪のついた部分の骨であって、５本ある。中節骨とは、指の真中部分の骨であって、４本ある。親指には無い。基節骨とは、指の根元の骨であって、５本ある。中手骨とは、手の甲にある骨、５本ある、手の甲にあるので骨の両側は触れない。手根骨：手くびの手の先側に８つある。
【００２１】
手袋本体２は、透明または半透明の合成樹脂製のものであって、主に、手首、手の甲、手のひら、および、５本の指（手の甲、親指、人さし指、中指、薬指、子指）にあたる部位からなっている。ここでは、手袋本体２に、５本の指の中央線にそって、それぞれピンク色の線３，３，・・・を引き、これらの線３，３，・・・の周りに赤色の点４を着脱自在に貼り付けている。また、手首にあたる部位５を前後２本の茶色の線を引いて表し、手根骨にあたる部位６を前後２本の紫色の線で必要に応じてハッチングを入れて表している。
【００２２】
ピンク色の線３，３，・・・は、それぞれの指の指節骨から中節骨にあたるものであるから、それぞれが視認できる程度の太さを有する直線又は曲線であることが好ましい。手首にあたる部位５を表す茶色の線と、手根骨にあたる部位６を表す紫色の線とについても同様である。
【００２３】
赤色の点４は、腱鞘炎発症予防のツボを模したものであるから、各骨を外れた部位に存在することが予想されるが、事前に試行錯誤での位置設定をしておき、後述するツボ刺激の際に、より正確な位置に移動可能となっていることが好ましい。なお、実際の点４は、手の甲側のみならず、手のひら、手首など、より広い範囲に分散配置するか、あるいは、集中配置するようにしてもよい。
【００２４】
図７は本実施形態に係る腱鞘炎発症予防手袋１の使用状態を示す説明図である。以下、説明する。腱鞘炎発症予防手袋１は両手に着用して同時使用するものであるが、図７では、説明の簡単化のため、腱鞘炎発症予防手袋１は左手７のみに着用し、右手８には着用していない場合を例示している。
【００２５】
まず、左手７の手根骨にあたる部位６から線３，３，・・・を伸ばすように大きく広げる。息をゆっくりと吐く。息を吸うタイミングで、右手８でツボを模した点４を軽く握る。以上の動作を５回、呼吸に合わせて行う。
【００２６】
手首の力を抜き、ぶらぶらさせる。リラックスした状態で、肘、肩へと動作を加えていく。最後に力を抜いて脱力する。背筋が曲がっていないか、肩の高さが均等かなどをチェックする。なお、他のツボを模した点があれば、それを指でつまんで軽くマッサージする。
【００２７】
ここで、指を広げる動作は大きく、ゆっくり行う。ツボを模した点４を押すときは、気持ちよくなる場所を探し、数秒したら離す。痛みを感じたらやめる。痛くなるまで押し続けないようにする。ゆっくり呼吸しながら、リラックスして行う。
【００２８】
以上説明したように、本実施形態に係る腱鞘炎発症予防手袋１によれば、手袋本体２に、人の指節骨から中手骨までを模したピンク色の線３，３，・・・を表示可能としたので、手の構造を正確に理解して、手のストレッチを正確に行うことができる。また、手袋本体２に、ピンク色の線３，３，・・・の周りに存在するツボを模した赤色で星形の点４を表示可能としたので、手のツボ刺激を正確に行うことができる。さらに、手袋本体２に、人の手首にあたる部位５を前後２本の茶色の線で表示可能とするとともに、手根骨にあたる部位６を紫色の線でハッチングを入れて表示可能としたので、手の構造をさらに正確に理解して、手のストレッチをより正確にすることができる。その結果、腱鞘炎の発症を有効に予防することができる。また、骨やツボをそのまま表示するのではなく、ピンク色の線３，３，・・・や赤色で星形の点４で模しているので、手袋としてのデザインを配慮して、思わず着用したくなるような趣向性を持たせることもできる。
【００２９】
なお、上記実施形態では、透明または半透明の合成樹脂製の手袋本体２を使用し、線３，３，・・・や点４を着色しているが、不透明の任意の材料をも選択できる。例えばニット網の手袋を使用して、線や点を織り込むこととしてもよい。また、布製の手袋を使用して、線や点をアップリケで作っておいて、それを糸で縫い付けることとしてもよい。
【００３０】
また、上記実施形態では、手袋本体２に表示する線３，３，・・・や点４の色や形状などを特定しているが、任意の色や形状を選択することができる。例えば線３，３，・・・を破線としてもよいし、点４を円形としてもよい。また、手袋本体２に点４を着脱自在に取り付けて、移動可能としているが、ツボのある位置の目安として使用する場合は、それを固定しておいてもよい。線３，３，・・・などについても同様である。
【００３１】
また、上記実施形態では、大人の男性用の手袋を例示しているが、女性用や子供用の手袋であってもよい。その場合は、手袋本体２の大きさだけでなく、線３，３，・・・や点４の色や寸法・形状などを含めて、そのデザインを相応のものにするのが好ましい。
【符号の説明】
【００３２】
１  腱鞘炎発症予防手袋
２  手袋本体
３  指節骨から中手骨までを模した線
４  ツボを模した点
５  手首にあたる部位
６  手根骨にあたる部位
７  左手
８  右手
【先行技術文献】
【特許文献】
【００３３】
【特許文献１】特開平６−２８５１０８号公報
【図１】
2018109250.tif 000003
【図２】
2018109250.tif 000004
【図３】
2018109250.tif 000005
【図４】
2018109250.tif 000006
【図５】
2018109250.tif 000007
【図６】
2018109250.tif 000008
【図７】
2018109250.tif 000009